(57)【要約】【課題】本発明は空中波受信機に関し、空中波を受信するための二重帯域受信機を提供する。【解決手段】本発明による二重帯域受信機は、第１低雑音増幅器、第１可変利得増幅器及び第１混合部を含み第１帯域信号を受信する第１受信部と、第２低雑音増幅器、第２可変利得増幅器及び第２混合部を含み第２帯域信号を受信する第２受信部と、前記第１及び第２受信部の第１及び第２混合部に局部発振信号を供給する局部発振器と、前記第１及び第２混合部で出力される信号をフィルタリングするための低域通過フィルターと、前記低域通過フィルターによってフィルタリングされた信号を中間周波数で増幅する可変利得増幅器を含むことを特徴とする。【選択図】図２
2006121710.tif 000002
【特許請求の範囲】
【請求項１】
第１低雑音増幅器、第１可変利得増幅器及び第１混合部を含み第１帯域信号を受信する第１受信部と、
第２低雑音増幅器、第２可変利得増幅器及び第２混合部を含み第２帯域信号を受信する第２受信部と、
前記第１及び第２受信部の第１及び第２混合部に局部発振信号を供給する局部発振器と、
前記第１及び第２混合部で出力される信号をフィルタリングするための低域通過フィルターと、
前記低域通過フィルターによってフィルタリングされた信号を中間周波数で増幅する可変利得増幅器を含む
ことを特徴とする二重帯域チューナー。
【請求項２】
前記混合部は映像除去下向き変換混合器(Ｉｍａｇｅ  Ｒｅｊｅｃｔｉｏｎ  Ｄｏｗｎ−Ｃｏｎｖｅｒｓｉｏｎ  Ｍｉｘｅｒ)である
ことを特徴とする前記請求項１記載の二重帯域チューナー。
【請求項３】
前記第１帯域信号はＶＨＦ帯域のＩＳＤＢ−Ｔ信号で、前記第２帯域信号はＵＨＦ帯域のＩＳＤＢ−Ｔ信号である
ことを特徴とする前記請求項１記載の二重帯域チューナー。
【請求項４】
前記第１帯域信号はＤＡＢのＢａｎｄ  ＩＩＩ信号で、前記第２帯域信号はＤＡＢのＬ−Ｂａｎｄ信号である
ことを特徴とする前記請求項１記載の二重帯域チューナー。
【請求項５】
前記第１帯域信号は地上波ＤＭＢチャンネル８信号で、前記第２帯域信号は地上波ＤＭＢチャンネル１２信号である
ことを特徴とする前記請求項１記載の二重帯域チューナー。
【請求項６】
前記第１及び第２帯域信号は同一信号帯域で、
前記第１信号部の第１低雑音増幅器と第１可変利得増幅器の間には第１帯域通過フィルターが繋がれて、前記第２信号部の第２低雑音増幅器と第２可変利得増幅器の間には第２帯域通過フィルターが繋がれて、
前記第１帯域通過フィルターの入力端には第１ダイバシティ（Ｄｉｖｅｒｓｉｔｙ）アンテナが繋がれて、前記第２帯域通過フィルターの入力端には第２ダイバシティアンテナが繋がれる
ことを特徴とする前記請求項１記載の二重帯域チューナー。
【請求項７】
前記第１信号部の第１低雑音増幅器と第１可変利得増幅器の間には第１帯域通過フィルターが繋がれて、
前記第２信号部の第２低雑音増幅器と第２可変利得増幅器の間には第２帯域通過フィルターが繋がれる
ことを特徴とする前記請求項１記載の二重帯域チューナー。
【請求項８】
前記第１受信部の第１低雑音増幅器の入力端には地上波ＤＭＢチャンネル８の信号をフィルタリングする第１帯域通過フィルターが繋がれて、
前記第２受信部の第１低雑音増幅器の入力端には地上波ＤＭＢチャンネル１２の信号をフィルタリングする第２帯域通過フィルターが繋がれる
ことを特徴とする前記請求項１記載の二重帯域チューナー。
【請求項９】
前記第１受信部の第１低雑音増幅器及び第２受信部の第２低雑音増幅器入力端には地上波ＤＭＢチャンネル８とチャンネル１２の信号をアイソレーション（Ｉｓｏｌａｔｉｏｎ）するためのデュープレックサー（Ｄｕｐｌｅｘｅｒ）が繋がれる
ことを特徴とする前記請求項１記載の二重帯域チューナー
【請求項１０】
第１低雑音増幅器、第１可変利得増幅器及び第１多相フィルター（ｐｏｌｙ−ｐｈａｓｅ  ｆｉｌｔｅｒ）を含み第１帯域信号を受信する第１受信部と、
第２低雑音増幅器、第２可変利得増幅器及び第２多相フィルターを含み第２帯域信号を受信する第２受信部と、
混合部に局部発振信号を供給する局部発振器と、
前記混合部で出力される信号をフィルタリングするための低域通過フィルターと、
前記低域通過フィルターによってフィルタリングされた信号を中間周波数で増幅する可変利得増幅器を含む
ことを特徴とする二重帯域チューナー。
【請求項１１】
前記混合器は映像除去下向き変換混合器（Ｉｍａｇｅ  Ｒｅｊｅｃｔｉｏｎ  Ｄｏｗｎ−Ｃｏｎｖｅｒｓｉｏｎ  Ｍｉｘｅｒ)である
ことを特徴とする前記請求項１０記載の二重帯域チューナー。
【請求項１２】
前記第１帯域信号はＶＨＦ帯域のＩＳＤＢ−Ｔ信号で、前記第２帯域信号はＵＨＦ帯域のＩＳＤＢ−Ｔ信号である
ことを特徴とする請求項１０記載の二重帯域チューナー。
【請求項１３】
前記第１帯域信号はＤＡＢのＢａｎｄ  ＩＩＩ信号で、前記第２帯域信号はＤＡＢのＬ−Ｂａｎｄ信号である
ことを特徴とする前記請求項１０記載の二重帯域チューナー。
【請求項１４】
前記第１信号部の第１低雑音増幅器と第１可変利得増幅器の間には第１帯域通過フィルターが繋がれて、
前記第２信号部の第２低雑音増幅器と第２可変利得増幅器の間には第２帯域通過フィルターが繋がれるである
ことを特徴とする前記請求項１０記載の二重帯域チューナー。
【発明の詳細な説明】
【技術分野】
【０００１】
本発明は受信機のチューナーに関し、より詳しくは複数の周波数帯域に同調可能な受信機の二重帯域チューナーに関する。
【背景技術】
【０００２】
現在、使われているＲＦ帯域は下記の表１のようである。
【０００３】
【表１】
2006121710.tif 000003
【０００４】
上記の表１で、ＡＴＳＣ（Ａｄｖａｎｃｅｄ  Ｔｅｌｅｖｉｓｉｏｎ  Ｓｙｓｔｅｍ  Ｃｏｍｍｉｔｔｅｅ)はアメリカ式、ＤＶＢ−Ｔ（Ｄｉｇｉｔａｌ  Ｖｉｄｅｏ  Ｂｒｏａｄｃａｓｔｉｎｇ−Ｔｅｒｒｅｓｔｒｉａｌ）はヨーロッパ式、ＩＳＤＢ−Ｔ（Ｉｎｔｅｒｇｒａｔｅｄ  Ｓｅｒｖｉｃｅｓ  Ｄｉｇｉｔａｌ  Ｂｒｏａｄｃａｓｔｉｎｇ−  Ｔｅｒｒｅｓｔｒｉａｌ）は日本式地上波デジタルＴＶの伝送方式であり、周波数帯域はおおよそ４８〜８６０ＭＨｚである。
【０００５】
移動通信ＲＦ帯域を見れば、ＩＳＤＢ−Ｔ  ３−ｓｅｇ（ＶＨＦ）は９０〜２２２ＭＨｚ、ＩＳＤＢ−Ｔ  １−ｓｅｇ（ＵＨＦ）は４７０〜７７０ＭＨｚで、ＤＡＢは二の帯域が存在してその中一つのバンドは１７４〜２４５ＭＨｚ、また一つのバンドは１４５０〜１４９２ＭＨｚである。
【０００６】
したがって、このような広帯域のＲＦバンドをチューニングできる様々な受信機チューナーたちが開発されているし商用化されている実情である。
【０００７】
図１は従来のチューナーの構成図の一例である。
【０００８】
示すのように、従来チューナーの構成図はアンテナから受信されたそれぞれのＵＨＦとＶＨＦバンド受信信号をそれぞれ別にフィルタリングするフィルター部（１）、フィルター部（１）で出力された無線周波数を該当のバンドで入力同調させる入力同調部（２）、入力同調部で同調された信号を増幅する増幅部（３）、増幅部で増幅された信号を該当チャンネルでアルエプ（ＲＦ）同調させるアルエプ同調部（４）、アルエプ同調部（４）で同調された信号を局部発振部（７）で発生された該当の局部発振周波数と混合させる混合部（５）、混合部（５）で混合した信号を中間周波数で同調させる中間周波同調部（６）、一定な周波数で発進して前記混合部（５）で局部発振周波数を出力する局部発振部（７）で構成される。
【０００９】
しかし、このように構成された従来チューナーはＵＨＦバンド用とＶＨＦバンド用でそれぞれ別個で構成されてチューナー回路の構成が複雑なだけでなく生産費が高くなる問題点がある。
【００１０】
また、既存のチューナーでは干渉（ｉｎｔｅｒｆｅｒｅｒ）をとり除くためにチューナーの前にトラッキング  フィルター（ｔｒａｃｋｉｎｇ  ｆｉｌｔｅｒ）を使う。
【００１１】
受信されるチャンネルの数が多いから願うチャンネル以外の信号をとり除くためだからである。
【００１２】
ところが、トラッキング  フィルターがチューナーの前端に位置するによって、私たちが願うチャンネルを選択する毎にその中心周波数（ｃｅｎｔｅｒ  ｆｒｅｑｕｅｎｃｙ）を変えてくれなければならないのである。
【００１３】
このようにチャンネルを選択する毎にその中心周波数を変えてくれるようになれば、ＳＡＷフィルターのようにその周波数が固定されている場合よりその特性が落ちるだけでなく、各製品間の偏差が大きいから量産の時に受動作業でチューニングをしなければならない不便さがある。
【００１４】
実際に現在チューナー生産の時に人が受動で量産品のチューニングをして生産をしているし、これはすなわち生産費の増加をもたらすようになる。
【００１５】
また、示されなかったが、表１での移動通信帯域別でそれぞれチューナーを構成するのが一般化になっている。
【発明の開示】
【発明が解決しようとする課題】
【００１６】
前記問題点を解決するための本発明の目的は消費電力が少ない受信機開発に容易さを提供するにある。
【００１７】
本発明の他の目的は複雑な異種帯域受信機を単一チップで具現して容易く使うように便宜性を提供するのにある。
【課題を解決するための手段】
【００１８】
本発明は受信機に関することで、第１低雑音増幅器、第１可変利得増幅器及び第１混合部を含み第１帯域信号を受信する第１受信部と、第２低雑音増幅器、第２可変利得増幅器及び第２混合部を含み第２帯域信号を受信する第２受信部と、前記第１及び第２受信部の第１及び第２混合部に局部発振信号を供給する局部発振器と、前記第１及び第２混合部で出力される信号をフィルタリングするための低域通過フィルターと、前記低域通過フィルターによってフィルタリングされた信号を中間周波数で増幅する可変利得増幅器を含むことを特徴とする。
【００１９】
また、第１低雑音増幅器、第１可変利得増幅器及び第１多相フィルター（ｐｏｌｙ−ｐｈａｓｅ  ｆｉｌｔｅｒ）を含み第１帯域信号を受信する第１受信部と、第２低雑音増幅器、 第２可変利得増幅器及び第２多相フィルターを含み第２帯域信号を受信する第２受信部と、混合部に局部発振信号を供給する局部発振器と、前記混合部で出力される信号をフィルタリングするための低域通過フィルターと、前記低域通過フィルターによってフィルタリングされた信号を中間周波数で増幅する可変利得増幅器を含むことを特徴とする。
【発明の効果】
【００２０】
本発明は消費電力が少ない受信機開発に容易である。
【００２１】
また、本発明は複雑な異種帯域受信機を単一チップで具現するのに容易である。
【発明を実施するための最良の形態】
【００２２】
以下、本発明による二重帯域受信機を添付した図面を参照して詳しく説明する。
【００２３】
図２は本発明による一つの実施形態で帯域別混合器が備えた二重帯域受信機の回路図である。
【００２４】
示すのように、二重帯域受信機１００は第１受信部１０１と第２受信部１０２で構成される。
【００２５】
第１受信部１０１は低雑音増幅器（Ｌｏｗ  Ｎｏｉｓｅ  Ａｍｐｌｉｆｉｅｒ；ＬＮＡ）１０３、プログラマブル利得制御機（Ｐｒｏｇｒａｍｍａｂｌｅ  Ｇａｉｎ  Ａｍｐｌｉｆｉｅｒ；ＰＧＡ）１０４及び映像除去下向き変換混合器（Ｉｍａｇｅ−Ｒｅｊｅｃｔｉｏｎ  Ｍｉｘｅｒ；ＩＲＭ）１０５で構成されて、前記第２受信部１０２はＬＮＡ１０６、ＰＧＡ１０７及びＩＲＭ１０８で構成される。
【００２６】
第１受信部１０１のＬＮＡ１０３は受信された信号を雑音まで増幅されることを最大限抑制しながら信号を増幅されるようにする。
【００２７】
第１受信部１０１のＰＧＡ１０４はＬＮＡ１０３で増幅された信号をもう一度一定な範囲中の信号で線形性を進めて増幅する。
【００２８】
ここで、第１受信部１０１のＬＮＡ１０３出力端とＰＧＡ１０４の入力端はお互いに連結可能であり、必要によってＢＰＦ（Ｂａｎｄ  Ｐａｓｓ  Ｆｉｌｔｅｒ）をＬＮＡ１０３の出力端とＰＧＡ１０４の入力端に連結して特定範囲の帯域だけ濾過することができる。
【００２９】
第１受信部１０１のＩＲＭ１０５は映像周波数（Ｉｍａｇｅ  Ｆｒｅｑｕｅｎｃｙ）を濾過して寄生周波数たちをとり除く。
【００３０】
第２受信部１０２のＬＮＡ１０６は受信された信号を雑音まで増幅されることを最大限抑制しながら信号を増幅されるようにする。
【００３１】
第２受信部１０２のＰＧＡ１０７はＬＮＡ１０６で増幅された信号をもう一度一定な範囲中の信号で線形成を進めて増幅する。
【００３２】
ここで、第２受信部１０２のＬＮＡ１０６出力端とＰＧＡ１０７の入力端はお互いに連結可能であり、必要によってＢＰＦをＬＮＡ１０６の出力端とＰＧＡ１０７の入力端に連結して特定範囲の帯域だけ濾過することができる。
【００３３】
第２受信部１０２のＩＲＭ１０８は映像周波数を濾過して寄生周波数をとり除く。
【００３４】
すなわち、ＩＲＭ（１０５及び１０８）はＲＦ端とＩＦ端を分離するので第１受信部１０１及び第２受信部１０２の安全性を確保するようになる。
【００３５】
局部発振器１０９はＩＲＭ（１０５及び１０８）で周波数合成のための周波数を供給するために電圧制御発振器（Ｖｏｌｔａｇｅ  Ｃｏｎｔｒｏｌ  Ｏｓｃｉｌｌａｔｏｒ；ＶＣＯ）で構成されて精密に周波数を調整してＩＲＭ（１０５及び１０８）に周波数を供給する。
【００３６】
低域通過フィルター（Ｌｏｗ  Ｐａｓｓ  Ｆｉｌｔｅｒ；ＬＰＦ）１１０は特定の低域帯域のみを適切に濾過することができるように制御可能になるように構成される。
【００３７】
こんなに濾過になった信号はまた中間周波数可変利得制御機（Ｉｎｔｅｒｍｅｄｉａｔｅ  Ｆｒｅｑｕｅｎｃｙ  Ｖａｒｉａｂｌｅ  Ｇａｉｎ Ａｍｐｌｉｆｉｅｒ；ＩＦ  ＶＧＡ）１１１で増幅をするようになる。
【００３８】
ここで、ＲＦ端のＬＮＡ（１０３及び１０６）だけでは微弱な受信信号を充分に増幅させることができないから精巧な電力調節のためにＩＦ  ＶＧＡ１１１を使って任意の利得で調節して増幅するように回路を構成する。
【００３９】
すべての過程を経った信号は映像周波数が除去されて増幅されて中間周波数に出力される。
【００４０】
ここで、第１受信部１０１の受信周波数は９０〜２２２ＭＨｚ帯域であるＶＨＦ（Ｖｅｒｙ  Ｈｉｇｈ  Ｆｒｅｑｕｅｎｃｙ）で、第２受信部１０２の受信周波数は４７０〜７７０ＭＨｚ帯域であるＵＨＦ（Ｕｌｔｒａ  Ｈｉｇｈ  Ｆｒｅｑｕｅｎｃｙ）である。
【００４１】
また、第１受信部１０１の受信周波数は１７４〜２４５ＭＨｚ帯域であるＢＡＮＤ−ＩＩＩで、第２受信部１０２の受信周波数は１４５０〜１４９２ＭＨｚ帯域であるＬ−ＢＡＮＤである。
【００４２】
また、第１受信部１０１の受信周波数は１８０〜１８６ＭＨｚ帯域であるＤＭＢ  Ｃｈ。８で、第２受信部１０２の受信周波数は２０４〜２１０ＭＨｚ帯域であるＤＭＢ  Ｃｈ。１２である。
【００４３】
図３は本発明による他の一つの実施形態で帯域別多相フィルターが備えた二重帯域受信機の回路図である。
【００４４】
示すのように、二重帯域受信機２００は第１受信部２０１と第２受信部２０２で構成される。
【００４５】
第１受信部２０１はＬＮＡ２０３、ＰＧＡ２０４及び多相フィルター（Ｐｏｌｙ  Ｐｈａｓｅ  Ｆｉｌｔｅｒ；ＰＰＦ）２０５で構成されて、前記第２受信部２０２はＬＮＡ２０６、ＰＧＡ２０７及びＰＰＦ２０８で構成される。
【００４６】
第１受信部２０１のＬＮＡ２０３は受信された信号を雑音まで増幅されることを最大限抑制しながら信号を増幅されるようにする。
【００４７】
第１受信部２０１のＰＧＡ２０４はＬＮＡ２０３で増幅された信号をもう一度一定な範囲中の信号で線形成を進めて増幅する。
【００４８】
ここで、第１受信部２０１のＬＮＡ２０３出力端とＰＧＡ２０４の入力端はお互いに連結可能であり、必要によってＢＰＦ（Ｂａｎｄ  Ｐａｓｓ  Ｆｉｌｔｅｒ）をＬＮＡ２０３の出力端とＰＧＡ２０４の入力端に連結して特定範囲の帯域だけ濾過することができる。
【００４９】
第１受信部２０１のＰＰＦ２０５は周波数サンプリングを遂行する。
【００５０】
第２受信部２０２のＬＮＡ２０６は受信された信号を雑音まで増幅されることを最大限抑制しながら信号を増幅されるようにする。
【００５１】
第２受信部２０２のＰＧＡ２０７はＬＮＡ２０６で増幅された信号をもう一度一定な範囲中の信号で線形成を進めて増幅する。
【００５２】
ここで、第２受信部２０２のＬＮＡ２０６出力端とＰＧＡ２０７の入力端はお互いに連結可能であり、必要によってＢＰＦをＬＮＡ２０６の出力端とＰＧＡ２０７の入力端に連結して特定範囲の帯域だけ濾過することができる。
【００５３】
第２受信部２０２のＰＰＦ２０８は周波数サンプリングを遂行する。
【００５４】
ＩＲＭ２１０は映像周波数（Ｉｍａｇｅ  Ｆｒｅｑｕｅｎｃｙ）を濾過して寄生周波数たちをとり除く。
【００５５】
すなわち、ＩＲＭ２１０はＲＦ端とＩＦ端を分離するので第１受信部２０１及び第２受信部２０２の安全性を確保するようになる。
【００５６】
局部発振器２０９はＩＲＭ２１０で周波数合成のための周波数を供給するために電圧制御発振器（Ｖｏｌｔａｇｅ  Ｃｏｎｔｒｏｌ  Ｏｓｃｉｌｌａｔｏｒ；ＶＣＯ）で構成されて精密に周波数を調整してＩＲＭ２１０に周波数を供給する。
【００５７】
低域通過フィルター（Ｌｏｗ  Ｐａｓｓ  Ｆｉｌｔｅｒ；ＬＰＦ)２１１は特定の低域帯域のみを適切に濾過することができるように制御可能になるように構成される。
【００５８】
濾過された信号はまた中間周波数可変利得制御機（Ｉｎｔｅｒｍｅｄｉａｔｅ  Ｆｒｅｑｕｅｎｃｙ  Ｖａｒｉａｂｌｅ  Ｇａｉｎ  Ａｍｐｌｉｆｉｅｒ；ＩＦ  ＶＧＡ)２１２で増幅をするようになる。
【００５９】
ここで、ＲＦ端のＬＮＡ（２０３及び２０６）だけでは微弱な受信信号を充分に増幅させることができないから精巧な電力調節のためにＩＦ  ＶＧＡ２１２を使って任意の利得で調節して増幅するように回路を構成する。
【００６０】
すべての過程を経った信号は映像周波数が除去されて増幅されて中間周波数に出力される。
【００６１】
ここで、第１受信部２０１の受信周波数は９０〜２２２ＭＨｚ帯域であるＶＨＦで、第２受信部２０２の受信周波数は４７０〜７７０ＭＨｚ帯域であるＵＨＦである。
【００６２】
また、第１受信部２０１の受信周波数は１７４〜２４５ＭＨｚ帯域であるＢＡＮＤ−ＩＩＩで、第２受信部２０２の受信周波数は１４５０〜１４９２ＭＨｚ帯域であるＬ−ＢＡＮＤである。
【００６３】
ここで、地上波ＤＭＢの場合第１受信部２０１の受信周波数は１８０〜１８６ＭＨｚ帯域であるＤＭＢ  Ｃｈ。８で、第２受信部２０２の受信周波数は２０４〜２１０ＭＨｚ帯域であるＤＭＢ  Ｃｈ。１２である。
【００６４】
したがって、地上波ＤＭＢの場合一方パス（ｐａｔｈ）は８番チャンネル用で、他の一方は１２番チャンネル用だけで使用可能になるように構成したことで地上波ＤＭＢの二つチャンネルをそれぞれのパスに割り当てして、チューナーの前端にチューニングが必要ない固定周波数フィルターを使って既存のトラッキング  フィルター以上の特性を得ることができる。
【００６５】
図４は本発明によるまた他の一つの実施形態で二重帯域のためのそれぞれの帯域通過フィルターを地上波ＤＭＢ用二重帯域受信機と連結した回路図である。
【００６６】
示すのように、図２によって具現された受信機の受信端に地上波ＤＭＢ  Ｃｈ。８用帯域通過フィルター４０１ａを他の受信他端に地上波ＤＭＢ  Ｃｈ。１２用帯域通過フィルター４０１ｂを共に構成したのである。
【００６７】
図５は本発明によるまた他の一つの実施形態で二重帯域のためのデュープレックサーを地上波ＤＭＢ用二重帯域受信機と連結した回路図である。
【００６８】
示すのように、図２によって具現された受信機の受信端に地上波ＤＭＢＣｈ。８とＣｈ。１２が仕分けされて出力されるデュープレックサーを構成したのである。
【００６９】
図６は本発明によるまた他の一つの実施形態でダイバシティ（Ｄｉｖｅｒｓｉｔｙ）アンテナを地上波ＤＭＢ用二重帯域受信機と連結した回路図である。
【００７０】
示すのように、図２によって具現された受信機の受信一端に第１ダイバシティアンテナと連結して構成して、受信機の受信他端に第２ダイバシティアンテナを連結して構成したのである。
【００７１】
ここで、第１受信部と第２受信部の帯域は同じ帯域で構成されてダイバシティ機能を具現する。
【００７２】
ダイバシティアンテナ(第１及び第２)を構成して第１ダイバシティアンテナ受信が不安定な場合第２ダイバシティアンテナを検査して受信率が一番良い性能を見せる受信部の信号を選択してチューナーの受信性能を進める。
【００７３】
こんなに具現された異種帯域受信機は単一チップで構成されて、超低電力に駆動されて、単一駆動電圧で印加されて、低位上雑音と広範囲な周波数範囲を見せて、適切な範囲で制御が可能な低域通過フィルタリングができる。
【産業上の利用可能性】
【００７４】
以上説明したように、本発明は、複雑な異種帯域受信機を単一チップで具現する二重帯域チューナー等として有用である。
【図面の簡単な説明】
【００７５】
【図１】従来の多段同調回路を利用したチューナーの構成図である。
【図２】本発明の一つの実施形態による帯域別混合器が備えた二重帯域受信機の回路図である。
【図３】本発明の他の実施形態による帯域別多相フィルターが備えた二重帯域受信機の回路図である。
【図４】本発明のまた他の実施形態による二重帯域のためのそれぞれの帯域通過フィルターを地上波ＤＭＢ（Ｄｉｇｉｔａｌ  Ｍｕｌｔｉｍｅｄｉａ  Ｂｒｏａｄｃａｓｔｉｎｇ）用二重帯域受信機と連結した回路図である。
【図５】本発明のまた他の実施形態による二重帯域のためのデュープレックサー（ｄｕｐｌｅｘｅｒ）を地上波ＤＭＢ用二重帯域受信機と連結した回路図である。
【図６】本発明のまた他の実施形態によるダイバシティ（Ｄｉｖｅｒｓｉｔｙ）アンテナを地上波ＤＭＢ用二重帯域受信機と連結した回路図である。
【符号の説明】
【００７６】
１００              二重帯域受信機
１０１              第１受信部
１０２              第２受信部
１０３、１０６      低雑音増幅器
１０４、１０７      プログラマブル利得制御機
１０５、１０８      映像除去下向き変換混合器
１０９              局部発振器
１１０              低域通過フィルター
１１１              中間周波数可変利得制御機
【図１】
2006121710.tif 000004
【図２】
2006121710.tif 000005
【図３】
2006121710.tif 000006
【図４】
2006121710.tif 000007
【図５】
2006121710.tif 000008
【図６】
2006121710.tif 000009